(57)【要約】【課題】煩雑であった太陽電池モジュールパネルの取付作業を簡便に行えると共に、屋根上に位置ずれすることなく安定して確実に固定される外装パネルの取付装置を提供する。【解決手段】屋根板材２に当接するベース部材10に、外装パネルたる太陽電池モジュールパネル７を支持する支持部材９を設けた外装パネルの取付装置８において、前記ベース部材10の前記屋根板材２に当接する面に接着層39を有する接着シート40を設けたことにより、煩雑であった太陽電池モジュールパネル７の取付作業が簡便となり、屋根に取付装置８を確実に固定できる。【選択図】図３
2013170352.tif 000002
【特許請求の範囲】
【請求項１】
屋根材に当接するベース部材に、外装パネルを支持する支持部材を設けた外装パネルの取付装置において、前記ベース部材の前記屋根材に当接する面に接着部を設けたことを特徴とする外装パネルの取付装置。
【請求項２】
前記接着部は、シート状であって、剥離紙が設けられたことを特徴とする請求項１記載の外装パネルの取付装置。
【請求項３】
前記ベース部材が板状であって、前記屋根材が並設される屋根板材からなることを特徴とする請求項１又は２記載の外装パネルの取付装置。
【請求項４】
前記ベース部材を前記屋根材に係止する支持部材が設けられ、該支持部材に平面視長孔が設けられ、この長孔の周縁上面に凹凸部が連続した係止溝を形成すると共に、この係止溝上に雌螺子部材を載置し、この雌螺子部材と前記ベース部材間に雄螺子部材を介在したことを特徴とする請求項１〜３のいすれか１項に記載の外装パネルの取付装置。
【発明の詳細な説明】
【技術分野】
【０００１】
本発明は、太陽電池モジュールパネルなどの外装パネルの取付装置に関するものである。
【背景技術】
【０００２】
近年普及している太陽電池モジュールパネルは、太陽電池（セル）を複数枚直列、又は並列接続して、必要な電圧と電流を得られるようにしたパネル状の製品単体であって、太陽電池パネル、或は太陽電池モジュール等とも呼ばれている。
【０００３】
そして、このような太陽電池パネルを屋根に固定するための取付装置として、屋根板材の上方に配置され太陽電池モジュールパネルを支持する支持部材と、支持部材の一側に設けられ、屋根板材の一側に設けられる凹嵌部に係止する一側係止部材と、支持部材の他側に設けられ屋根部材の他側に設けられる凸嵌部に係止する他側係止部材とを設け、一側係止部材を凹嵌部に係止すると共に、他側係止部材を凸嵌部に係止させることで、支持部材を屋根板材上に固定するとしたものが知られている（例えば特許文献１）。こうした特許文献１によれば、一側係止部材を凹嵌部に係止すると共に、他側係止部材を凸嵌部に係止させることで、支持部材を屋根板材上に固定させ、支持部材によって外装パネルを支持することができるので、太陽電池モジュールパネルを屋根面に連結することができる。
【先行技術文献】
【特許文献】
【０００４】
【特許文献１】実用新案登録第３１５７２０９号公報
【発明の概要】
【発明が解決しようとする課題】
【０００５】
しかしながら、特許文献１記載の取付装置では、屋根板材の一側に設けられる凹嵌部に係止する一側係止部材と、支持部材の他側に設けられ屋根部材の他側に設けられる凸嵌部に係止する他側係止部材とにより、屋根部材に係止した状態で取り付けられるため、取付装置の取付時において、支持部材と一側係止部材とを位置決めしてから組み立てなければならず作業が煩雑であるほか、支持部材と一側係止部材とを固定具で締結する前に位置ずれが生じる虞があり、位置ずれが生じた場合には、再度組み立て直さなければならないため作業時間が掛かる虞があった。
【０００６】
本発明は、上記問題に鑑みてなされたものであり、煩雑であった外装パネルの取付作業を簡便に行える外装パネルの取付装置を提供することを目的とする。
【課題を解決するための手段】
【０００７】
請求項１の発明は、屋根材に当接するベース部材に、外装パネルを支持する支持部材を設けた外装パネルの取付装置において、前記ベース部材の前記屋根材に当接する面に接着部を設けたことを特徴とする。
【０００８】
請求項２の発明は、シート状であって、剥離紙が設けられたことを特徴とする。
【０００９】
請求項３の発明は、前記ベース部材が板状であって、前記屋根材が並設される屋根板材からなることを特徴とする。
【００１０】
請求項４の発明は、前記ベース部材を屋根板材に係止する支持部材が設けられ、該支持部材に平面視長孔が設けられ、この長孔の周縁上面に凹凸部が連続した係止溝を形成すると共に、この係止溝上に雌螺子部材を載置し、この雌螺子部材と前記ベース部材間に雄螺子部材を介在したことを特徴とする
【発明の効果】
【００１１】
請求項１の発明によれば、煩雑であった外装パネルの取付作業が接着により簡便となり、屋根上に取付装置を確実に固定できる。
【００１２】
請求項２の発明によれば、剥離紙をはがして外装パネルの取付作業を簡便に行うことができる。
【００１３】
請求項３の発明によれば、板状のベース部材によって屋根板材上に確実に取り付けることができる。
【００１４】
請求項４の発明によれば、係止溝の連続している凹凸部によって雄螺子部材を螺着した雌螺子部材がいかなる場所でも弛みにくくなる。
【図面の簡単な説明】
【００１５】
【図１】本発明の実施例１を示す斜視図である。
【図２】同上、平面図である。
【図３】同上、一部を拡大した側面図である。
【図４】同上、正面図である。
【発明を実施するための形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００１７】
図１〜４は、実施例１を示しており、傾斜状態である野地板１上に並設される段葺屋根における屋根材である屋根板材２は、平面状の板材本体３により成り、前記板材本体３の一側、ここでは低位置側には、一端を下側方向に曲折することで鉤手状に形成される第一の凹嵌部４が設けられ、前記板材本体３の他側、ここでは高位置側には、他端を他側方向から一側方向に曲折して形成される第二の凹嵌部５と、前記第二の凹嵌部５から延在する他側端部を一側方向から他側方向に曲折して形成される凸嵌部６とが設けられている。
【００１８】
そして、低位置にある屋根板材２と高位置にある屋根板材２Ａとは、低位置にある屋根板材２の凸嵌部６と高位置にある屋根板材２Ａの第一の凹嵌部４とを嵌合すると共に、高位置にある屋根板材２Ａの端部が低位置にある屋根板材２の第二の凹嵌部５に引掛かるようにして連結され、野地板１に直接、或は防水シート（図示せず）を介して釘や螺子などの固定具により固定されている。
【００１９】
こうした段葺屋根に、外装パネルである太陽電池モジュールパネル７を取り付ける取付装置８としては、太陽電池モジュールパネル７を前記板材本体３と略平行に配置されるように直接的、或は間接的に載置して据え付けるための支持部材９と、板材本体３の上面に載置されると共に前記支持部材９と連結される板状のベース部材10とを備える。
【００２０】
前記支持部材９は、細長平坦状の金属板材で成り、一端が下側方向にコ字状となるよう曲折されることで形成され屋根板材２の前端11に掛止可能とした掛止部12と、一側から他側を長手方向として該長手方向に延びる中心軸線Ｘ上の中央一側寄りに穿設される第一の貫通孔13と、前記中心軸線Ｘ上において該第一の貫通孔13よりも他側に穿設される第二の貫通孔14とを備える。このうち、第一の貫通孔13と第二の貫通孔14は、共に平面視で長手方向に延びる長孔で形成され、本実施例では第二の貫通孔14が第一の貫通孔13よりも長手方向に長くなるように設けられており、第二の貫通孔14の上面には長手方向に周縁に沿って連続して形成される、すなわち連続した凹凸部により成る係止溝15が設けられている。
【００２１】
また、前記ベース部材10は、平面視で一側から他側に向かい先細りとなる金属板材で成り、上側方向に立ち上がるように突出形成される凸部16と、長手方向に直交して前記凸部16の左右に形成される左右平坦部17と、前記凸部16の他端よりも他側に突出形成された前記左右平坦部17の他端である左右突出片18とを備えており、凸部16の上下面には、支持部材９の第一の貫通孔13に対応して長手方向に延びる中心軸線Ｘ上の中央一側寄りに穿設される第三の貫通孔19と、支持部材９の第二の貫通孔14に対応して第三の貫通孔19よりも他側に所定間隔をあけて穿設される第四の貫通孔とが、それぞれ設けられる。また、凸部16は一側から他側にかけて高くなるように傾斜して形成されており、これにより低位置にある屋根板材２の一端と高位置にある屋根板材２Ａの一端との上下方向の高低差を埋めることができるので、取付装置８を屋根板材２に取り付けた際に、低位置の屋根板材２に取り付けられた取付装置８の支持部材９上面と、高位置の屋根板材２に取り付けられた取付装置８の支持部材９上面とが略水平になり、太陽光モジュールパネル７の取付角度を一定にすることができる。
【００２２】
そして、長手方向に延びる中心軸線Ｘを合わせるようにしてベース部材10上に支持部材９を載置することで、支持部材９とベース部材10とは、第一の貫通孔13と第三の貫通孔19とが上下方向に重なり、また第二の貫通孔14と第四の貫通孔とが上下方向に重なるため、これら上下に重なった貫通孔内に固定具を挿通することで、支持部材９とベース部材10とが一体となり固定される。
【００２３】
第一の貫通孔13と第三の貫通孔19とが重なる一側貫通部21には、太陽電池モジュールパネル７を直接取付可能な第一の固定具22が設けられる。第一の固定具22は、一側貫通部21に挿通されるボルト等でなる第一の雄螺子部材23と、該第一の雄螺子部材23が挿通されてベース部材10の下面に接触して設けられる下向きコ字状の第一の挟持部材24と、第一の挟持部材24内に収容されるようにして設けられ第一の雄螺子部材23の下端に螺着されるナット等でなる第一の雌螺子部材25と、第一の雄螺子部材23が挿通されて支持部材９上に設けられる第一の平座金26と、第一の平座金26上に設けられるスプリングワッシャー等と称される第一のバネ座金27と、第一の雄螺子部材23の上端から締め込むことで螺着される第二の雌螺子部材28とを備えている。尚、第一の挟持部材24は、ベース部材10の凸部16と相似形で成り、凸部16の内面にあたる凹溝29内に設けられているため、第二の雌螺子部材28を締め込む際には、挟持部材が凹溝29の周壁に当接して動きが規制され、第一の雄螺子部材23との供回りを防止している。この他、第一の貫通孔13は長孔に形成されているため長手方向長さの範囲内であれば任意の位置でスライド固定することができる。
【００２４】
また、第二の貫通孔14と第四の貫通孔20とが重なる他側貫通部30には、スライド可能な第二の固定具31が設けられる。第二の固定具31は、他側貫通部30に挿通されるボルト等でなる第二の雄螺子部材32と、該第二の雄螺子部材32が挿通されてベース部材10の下面に接触して設けられる下向きコ字状の第二の挟持部材33と、第二の挟持部材33内に収容されるようにして設けられた第二の雄螺子部材32の下端に螺着されるナット等でなる第三の雌螺子部材34と、第二の雄螺子部材32が挿通されて支持部材９上に設けられる歯付座金35と、歯付座金35上に設けられる第二の平座金36と、第二の平座金36上に設けられるスプリングワッシャー等と称される第二のバネ座金37と、第二の雄螺子部材32の上端から締め込むことで螺着される第四の雌螺子部材38とを備えている。この第二の固定具31によれば、第一の貫通孔13の長手方向長さの範囲内であれば任意の位置でスライド固定することができると共に、第四の雌螺子部材38を締め込むことで歯付座金35が第二の貫通孔14の上面に形成される係止溝15に係止されるので滑り止めとして機能する。
【００２５】
こうして支持部材９とベース部材10とを、第一の固定具22および第二の固定具31を介して一体に連結した後、ベース部材10の左右平坦部17下面には、着脱自在の接着層39を有する接着部材、ここではゴム系の接着シート40を貼設する。接着シート40は上下面の両面に接着層39，39を有しており、この接着層39，39の下面には剥離紙41が貼り付けられており、接着シート40の一面をベース部材10の左右平坦部17下面に剥離紙41を剥いで貼り付け、接着シート40の他面を屋根板材２に押圧して貼り付けることで、屋根板材２上に太陽電池モジュールパネル７の取付装置８が取付けられる。こうして接着シート40に剥離紙41が貼設されていることで、接着シート40の接着層39は太陽電池モジュールパネル７の取付時まで露出することがなく、接着層の粘着力を維持しておけるほか、屋根上まで取付装置８を持って上がる際にもベース部材10に貼り付けた状態で持ち運ぶことができる。また、左右平坦部17下面の全面に亘り、或は左平坦部と右平坦部の下面それぞれに接着シート40を貼設することができるため、接着層を十分な範囲に設けることができ、これに伴い重量のある太陽電池モジュールパネル７を取り付けた場合にあっても安定しているので、接着層39が屋根板材２から剥がれて脱落する虞がない。また、前記接着シート40の接着層39を構成する接着剤としては、例えばアクリル系接着剤やブチルゴム系接着剤が用いられることが好ましく、これらによれば、接着剤としての接着力が高いほか耐久性や耐候性に優れているので、効果が長期間持続することを期待できる。また、上記接着剤のうち、ブチルゴム系接着剤を用いれば屋根板材２上に凹凸が形成されていた場合にあっても、これに追従することができるため、屋根板材２に多少のギャップが存在しても安定して接着固定することができる。
【００２６】
次に上記構成を備える取付装置８について、その作用を説明する。予め、屋根には屋根板材２が段葺に配置されている。このような屋根において、太陽電池モジュールパネル７を取付ける場合は、取付装置８を屋根上に載置する前に、接着シート40を取付装置８のベース部材10に設けられる左右平坦部17の下面に貼設して準備し、接着シート40の他面、ここでは下面の剥離紙41を剥がした状態で、取付装置８の第一の固定具22と第二の固定具31を緩めて、支持部材９とベース部材10が長手方向に離間するようにスライドさせる。そして、屋根板材２の他側に形成される第一の凹嵌部４にベース部材10の左右突出片18を差し込んで当接させ、この状態のまま取付装置８を屋根板材２上に載置し、取付装置８の接着シート40下面と屋根板材２の上面を接触させて上側方向から押圧することで接着状態とする。その後、屋根板材２の一側前端11に支持部材９の掛止部12が掛け止められるように支持部材９をスライド調整して、第一の固定具22および第二の固定具31を締結することで取付装置８が屋根板材２上に固定され、太陽電池モジュールパネル７が取付装置８の支持部材９に第一の固定具22を介して直接、或は所定の金具を用いる等して取り付けられる。
【００２７】
以上のように、実施例１では、屋根板材２に当接するベース部材10に、外装パネルたる太陽電池モジュールパネル７を支持する支持部材９を設けた外装パネルの取付装置８において、ベース部材10の屋根板材２に当接する面に接着層39を有する接着シート40を設けたことにより、煩雑であった太陽電池モジュールパネル７の取付作業が簡便となり、屋根上に取付装置８を確実に固定できる。
【００２８】
また、接着部は、シート状であって、剥離紙41が設けられていることにより、太陽電池モジュールパネル７の取付作業が簡便となる。
【００２９】
さらに、ベース部材10が板状であって、屋根材が並設される屋根板材２からなることで、板状のベース板によって屋根板材２上に確実に取り付けることができる。
【００３０】
加えて、ベース部材10に屋根板材２に係止する支持部材９が設けられ、該支持部材９に平面視長孔の第一の貫通孔13および第二の貫通孔14が設けられ、この第二の貫通孔14の周縁の上面に凹凸部を連続した係止溝15を形成すると共に。この係止溝15上に第四の雌螺子部材38を載置し、この第四の雌螺子部材38と前記ベース部材10間に第二の雄螺子部材32を介在することで、係止溝15の連続している凹凸部によって第二の雄螺子部材32を螺着した第四の雌螺子部材38がいかなる場所でも弛みにくくなる。
【産業上の利用可能性】
【００３１】
以上のように、本発明に係る外装パネルの取付装置は、太陽電池モジュールパネル以外の各種用途に適用できる。
【符号の説明】
【００３２】
１  野地板
２  屋根板材
３  板材本体
４  第一の凹嵌部
５  第二の凹嵌部
７  太陽電池モジュールパネル（外装パネル）
８  取付装置
９  支持部材
10  ベース部材
12  掛止部
22  第一の固定具
31  第二の固定具
39  接着層
24  通気弁
40  接着シート
41  剥離紙
【図１】
2013170352.tif 000003
【図２】
2013170352.tif 000004
【図３】
2013170352.tif 000005
【図４】
2013170352.tif 000006